(57)【要約】      （修正有）【課題】入浴装置に貯留したお湯がこぼれないようにするための浴用カバーおよびこれを用いた介護用入浴装置を提供する。【解決手段】人があお向け状態で寝ることができる幅があり、全身が納まる適宜に定めた長さを有する合成樹脂やゴム等の遮水材製の底シート材の両側および前後部に連続した立ち壁を形成した下カバー２と、遮水性のある柔軟なシート製で、前記下カバーに対応する幅と肩までが納まる適宜に定めた長さを有する半円筒形、かまぼこ形、多角形等の立体形とし、複数の挿入孔を所望位置に配置して手が内部に挿入できるようにし、前後端に閉止壁を設けた上カバーと、前記上カバーと略同じ長さの長尺材の基台と、この基台に複数取り付けてフレームを構成する骨体とよりなる浴用カバー１より構成される。【選択図】図１
2007307283.tif 000002
【特許請求の範囲】
【請求項１】
人があお向け状態で寝ることができる幅があり、全身が納まる適宜に定めた長さを有する合成樹脂やゴム等の遮水材製の底シート材の両側および前後部に連続した立ち壁を形成した下カバーと、
遮水性のある柔軟なシート製で、前記下カバーに対応する幅と肩までが納まる適宜に定めた長さを有する半円筒形、かまぼこ形、多角形等の立体形とし、複数の挿入孔を所望位置に配置して手が内部に挿入できるようにし、前後端に閉止壁を設けた上カバーと、
前記上カバーを張支するフレームを構成する複数の骨体と、
この複数の骨体を係止する前記上カバーと略同じ長さの長尺材であるフレームを構成する２本の基台とよりなり、
下カバー内に前記基台と骨体とによって組み立てた前記フレーム上に上カバーを被覆するように張り、この上カバーの下端と下カバーの立ち壁とを接続して全一体に構成することを特徴とする浴用カバー。
【請求項２】
請求項１において、上カバーのこの前閉止壁はその中央の上端もしくは上端付近から下端まで切れ目があり、利用者の首が通り、頭が出るようにし、後閉止壁または側面の任意個所に温風注入用の開口を設けたことを特徴とする浴用カバー。
【請求項３】
請求項１において、下カバーの立て壁に排水管を連結する排出口を設けたことを特徴とする浴用カバー。
【請求項４】
人があお向け状態で寝ることができる幅があり、全身が納まる適宜に定めた長さを有する合成樹脂やゴム等の遮水材製の底シート材の両側および前後部に連続した立ち壁を形成した下カバーと、
遮水性のある柔軟なシート製で、前記下カバーに対応する幅と肩までが納まる適宜に定めた長さを有する半円筒形、かまぼこ形、多角形等の立体形とし、複数の挿入孔を所望位置に配置して手が内部に挿入できるようにし、前後端に閉止壁を設けた上カバーと、前記上カバーを張支するフレームを構成する複数の骨体と、この複数の骨体を係止する前記上カバーと略同じ長さの長尺材であるフレームを構成する２本の基台とよりなり、下カバー内に前記基台と骨体とによって組み立てた前記フレーム上に上カバーを被覆するように張り、この上カバーの下端と下カバーの立ち壁とを接続して全一体に構成する浴用カバーと、温風供給装置と、温水シャワー供給装置と、排水槽とよりなることを特徴とする介護用入浴装置。
【発明の詳細な説明】
【技術分野】
【０００１】
本発明は、寝たきり老人や病人等の起き上がることができない寝たきりの人の身体を洗う浴用カバーおよびこれを用いた介護用の入浴装置に関する。
【背景技術】
【０００２】
従来ベッドの上で寝たきりの人の身体を洗う介護用の入浴装置としては、水密製のシートで作成した入浴袋内に身体を入れ、給湯して２個の穴に取り付けた洗身用手袋を使って身体を洗うようにした装置がある（例えば、特許文献１参照。）。
【特許文献１】実開平６−６１２３９号公報
【発明の開示】
【発明が解決しようとする課題】
【０００３】
しかしながら、上述した従来の技術においては、入浴装置の簡易入浴袋内に略一杯に貯留したお湯がこぼれないようにするために、ベッドの上半身側が起きる形式のものでなくてはなくてはならず、平面状態のベッドでは使用することができないという問題がある。
さらに、簡易入浴袋内に湯を略満たして使用するために、入浴袋内に大きな圧力がかかると共にかなりの重量となり、しかも中の水の動きに従って重力が偏って不安定となって取扱いが非常に困難であるという問題がある。
【０００４】
また、入浴袋と一体の洗身用手袋では所望のところに自由に手がとどかず、しかも、介護人の手は常に手袋を介してしか入浴者に触れることができないという問題がある。
本発明は、上記の問題点を解決するためになされたもので、浴用カバー内でシャワーを用いて介護人が入浴者を洗うことができる手段を提供することを目的とする。
【課題を解決するための手段】
【０００５】
そこで本発明は、人があお向け状態で寝ることができる幅があり、全身が納まる適宜に定めた長さを有する合成樹脂やゴム等の遮水材製の底シート材の両側および前後部に連続した立ち壁を形成した下カバーと、遮水性のある柔軟なシート製で、前記下カバーに対応する幅と肩までが納まる適宜に定めた長さを有する半円筒形、かまぼこ形、多角形等の立体形とし、複数の挿入孔を所望位置に配置して手が内部に挿入できるようにし、前後端に閉止壁を設けた上カバーと、前記上カバーを張支するフレームを構成する複数の骨体と、
この複数の骨体を係止する前記上カバーと略同じ長さの長尺材であるフレームを構成する２本の基台とよりなり、下カバー内に前記基台と骨体とによって組み立てた前記フレーム上に上カバーを被覆するように張り、この上カバーの下端と下カバーの立ち壁とを接続して全一体に構成する浴用カバーとすることを特徴とする。
【０００６】
さらに、上記浴用カバーと、温風供給装置と、温水シャワー供給装置と、排水槽とよりなる介護用入浴装置としたことを特徴とする。
【発明の効果】
【０００７】
これにより、本発明は、シャワーで流しながら身体を洗うことができ、しかも入浴者はベッドや布団の上でも寝ながら入浴が可能となるという効果を有する。
さらに、小型に折り畳んで持ち運びが可能であるために、どこでも入浴させることができるという効果を有する。
【発明を実施するための最良の形態】
【０００８】
以下に、図面を参照して本発明の実施例を説明する。
図１は本発明の実施例を示す説明図、図２は下カバーの説明図、図３は上カバーの説明図、図４はフレームの説明図、図５はフレームの基台の説明図、図６は他の形式の基台の説明図、図７は基台を畳んだ状態の説明図、図８はフレームの骨体の説明図、図９は各着脱具の係止状態の断面説明図、図１０は浴用カバーを組み立てた状態の説明図である。
【０００９】
図において、１は浴用カバーであり、下カバー２と上カバー３とより構成されている。前記下カバー２は、合成樹脂やゴム等の遮水性のあるシート製であり、人があお向け状
態で十分に寝ることができる幅があり、全身が納まることができる適宜に定めた長さ（本実施例では１８０ｃｍ程度）を有する長方形の底シート材４の全周囲、つまり両側および前後端に連続した所望の高さ（本実施例では１０ｃｍ程度）の立ち壁５、６、７、８を形成し、その立ち壁５、６の内側面の全長もしくは適宜間隔に面ファスナやホック等の着脱具９Ａの片方面が設けてある。  
【００１０】
さらに、この下カバー２の任意の立ち壁、本実施例では立ち壁７に排水管１０を連結する排出口１１が設けてある。
前記上カバー３は、好ましくは透明や半透明の合成樹脂の遮水性のあるシート製であり、前記下カバー２に対応する幅があり、その長さは前記下カバー２より短く、肩までが納まる程度の適宜に定めた長さ（本実施例では１４０ｃｍ程度）を有する半円筒形、かまぼこ形、多角形等のトンネル状の立体形であり、その前後端にはそれぞれ閉止壁１２、１３がある。
【００１１】
この前閉止壁１２はその中央の上端もしくは上端付近から下端まで切れ目１４があり、利用者の首が通り、頭が出るようになっている。
また、後閉止壁１３または上カバー３の側面の任意個所もしくは下カバー側面には温風注入用の開口１５が形成されている。
さらに、上カバー３の両側部下部の外側には上記下カバー２の着脱具９Ａに対応する着脱具９Ｂが設けてある。
【００１２】
また、上カバー３には、複数の挿入孔１６が所望個所に設けてあり、それぞれの挿入孔１６は中心から放射状に切断して中央がそれぞれ自由端となり、周囲が挿入孔１６の周囲に接続している状態の舌片１７によって手が上カバー３内に挿抜できるように閉じられている。
１８はフレームであり、基台１９と骨体２０とから構成され、それぞれアルミニウムや合成樹脂等の軽量な硬質材から成り立っている。
基台１９は上カバー３と略同じ長さの長尺材であり、本実施例では断面形状が長方形であるが、ある程度の高さ、つまり、上記下カバー２の立ち壁５、６より低くてもよいが、上カバー３の下部の内側面に設けた面ファスナー等の一方の着脱具２１Ａに対応する他方の着脱具２１Ｂが取り付けられる程度の高さは必要である。幅（厚さ）は強度を保つだけの寸法でよい。
この基台１９にはさらに、骨体２０を係止する係止穴２２が複数設けてある。この係止穴２２はどのように形成してもよく、図５に示す如く、基台１９の幅を利用して直接形成してもよく、また、図６に示す如く、基台１９の外側もしくは内側の側面に係止穴２２を形成する係止穴形成部材２３を複数取り付けてもよい。
また、基台１９は長尺であるために、折り畳めるようにしてもよく、二つ折りにする場合には中程に蝶番を設けて折ることができるようにすればよく、さらには、それ以上の三つ折りにするようにしてもよい。
骨体２０は、湾曲をしており、下カバー２の立ち壁５、６の内側に設置した基台１９間にわたしてそれぞれの基台１９に設けた係止穴２２に先端を嵌めて取り付けるものであり、下カバー２の後端部から前端部にかけて所望数を設置して上カバー３の支持骨とするものである。本実施例では３本の場合を示しているが、これに限るものではなく、係止穴２２を多数設けることで骨体の本数および設置個所を任意に選択することができる。
なお、基台１９に骨体２０係止するために、必ずしも係止穴２２によらなくてもよく、簡便で適宜な係止手段であればどのような構造でもよい。
２４は飛散防止カバーであり、外側下部に面ファスナやホック等の着脱具２５Ａの片方面が着けてあり、この飛散防止カバー２４は、利用者が洗髪する際に水やシャンプーが飛散するのを防ぐために必要に応じて取り付けるものであり、下カバー２の立ち壁５、６、７に着脱具２５Ａの対応する他方の着脱具２５Ｂが設けてある。
【００１３】
以上説明したような上カバー３と下カバー２とより構成される浴用カバー１を使用するには、温風供給装置２６、温水シャワー供給装置２７等が必要である。
これら各装置は現在それぞれ単品として普及している。例えば、温風供給装置は布団乾燥機があり、温水シャワーはポータブル型の温水シャワーがあり、これら装置をそのままもしくは適宜改良して用いることができる。
【００１４】
図１に温風供給装置２６、温水シャワー供給装置２７および排水槽２８を一体に組み込んだ搬送供給装置２９を示す。
つぎに、上記構成の浴用カバーの使用について説明する。
まず、場所は風呂場、床の上、ベッド上、布団上等問わない任意の設置場所に利用者の身体の下に下カバー２を敷く。
【００１５】
この下カバー２の上に利用者を仰向け状態や横向き状態にして寝る。
つぎに、下カバー２の立ち壁５、６の内側に沿って基台１９をそれぞれ下カバー２の後端と基台１９の後端を合わせて配置する。
このようにした左右の基台１９の前後両端付近およびその間の所望の個所の各係止穴２２に骨体２０を嵌めてフレーム１８を構成する（図４）。
【００１６】
このようにしたフレーム１８の骨体２０に、上カバー３を被せるようにして張り、上カバー３の両側の着脱具２１Ａを両基台１９の着脱具２１Ｂに合わせて接合して一体にする。
この状態で、上カバー３の着脱具９Ａを下カバー２の着脱具９Ｂに合わせて接合して両カバーを一体に構成する。以上の着脱具の接合具合は図９に示す模写的な説明図の如くである。
【００１７】
これによって、利用者は、前閉止壁１２の切れ目１４により首が通り、上カバー３から頭が出た状態で納まり、切れ目１４の左右の片が肩を覆う。
以上によって入浴者が納まった浴用カバー１内に水と空気を入れてもが外側と遮断され
た状態になる。そこで、温風供給装置２６のホースを開孔１５に連結し、排水管１０の開口端を排水槽２８に注ぐように排出口１１に接続する。
【００１８】
この状態で、図１に示す如く、温風供給装置２６を稼動させ、介護者は利用者に沿って位置し、温水シャワー供給装置２７のシャワー蛇口を手に持ってそれぞれの挿入孔１６から片手づつ浴用カバー１内に入れ、シャワー蛇口のスイッチによって温水を射出させながら入浴者の身体を洗うことができる。
使用された温水は排水管１０から順次に排水槽２８に排出されるために、温水は下カバー２の立ち壁５、６、７、８によってカバー外に流れることはない。
【００１９】
また、浴用カバー１内は温風供給装置２６からの温風によって保温状態を保つことができ、その状態で、介護者は手を挿入する挿入孔１６の位置を変えることによって、利用者の身体を順次に洗うことができる。
つぎに、洗髪に際しては、飛散防止カバー２４を下カバー２の立ち壁５、６、８の先端内側に着脱具２５Ａを着脱具２５Ｂに着けることによって取り付けて洗髪することにより周囲および介護者への洗剤等の飛散を防止することができる。
【００２０】
洗い終わったら、温水シャワー供給装置２７および温風供給装置２６の駆動を止め、着脱具９Ａと上カバー３の着脱具９Ｂの係止を解除することによって上カバー３を外し、続いて骨材２０を基台１９から外す。
これによって、下カバー２上に残っている湯を排水管１０から順次に排水槽２８に流し出すと共に利用者の身体を拭くことができ、下カバー２を取り除いて入浴は終了する。
【００２１】
その後、基台１９の着脱具２１Ｂと下カバー２の着脱具２１Ａの係止を解除して両側の基台１９を外し、蝶番が付いている場合には折り畳み、下カバー２も所望の大きさに折り畳んで持ち運びすることができる。
【図面の簡単な説明】
【００２２】
【図１】実施例を示す説明図
【図２】下カバーの説明図
【図３】上カバーの説明図
【図４】フレームの説明図
【図５】フレームの基台の説明図
【図６】他の形式の基台の説明図
【図７】基台を畳んだ状態の説明図
【図８】フレームの骨体の説明図
【図９】各着脱具の係止状態を示す断面説明図
【図１０】浴用カバーを組み立てた状態の説明図
【符号の説明】
【００２３】
１  浴用カバー
２  下カバー
３  上カバー
４  底シート材
５、６、７、８立ち壁
９Ａ、９Ｂ  着脱具
１０  排水管
１１  排出口
１２、１３  閉止壁
１４  切れ目
１５  開口
１６  挿入孔
１７  舌片
１８  フレーム
１９  基台
２０  骨体
２１Ａ、２１Ｂ  着脱具
２２  係止穴
２３  係止穴形成部材
２４  飛散防止カバー
２５Ａ、２５Ｂ  着脱具
２６  温風供給装置
２７  温水シャワー供給装置
２８  排水槽
２９  搬送供給装置
【図１】
2007307283.tif 000003
【図２】
2007307283.tif 000004
【図３】
2007307283.tif 000005
【図４】
2007307283.tif 000006
【図５】
2007307283.tif 000007
【図６】
2007307283.tif 000008
【図７】
2007307283.tif 000009
【図８】
2007307283.tif 000010
【図９】
2007307283.tif 000011
【図１０】
2007307283.tif 000012